(57)【要約】【課題】開封すると、容器側に開封履歴明示バンドが残るが、再封したときには、再封したことが明確にわかる口栓を提供する。【解決手段】キャップ本体の下部にブリッジ部を介して接続する開封履歴明示バンドを有するキャップと、キャップに螺着されるスパウトとからなる口栓であって、未開封の状態では、互いの凸部どうしが向かい合うように、開封履歴明示バンドの下端部に凹凸を形成すると共に、スパウトの台座リングの上端部に凹凸を形成し、開封されることで、ブリッジ部が切断され、開封履歴明示バンドが下がったときに互いの凹凸が噛み合うように形成されている。【選択図】図１
2013252874.tif 000002
【特許請求の範囲】
【請求項１】
キャップ本体の下部にブリッジ部を介して接続する開封履歴明示バンドを有するキャップと、該キャップに螺着されるスパウトとからなる口栓であって、
未開封の状態では、互いの凸部どうしが向かい合うように、前記開封履歴明示バンドの下端部に凹凸を形成すると共に、前記スパウトの台座リングの上端部に凹凸を形成し、開封されることで、前記ブリッジ部が切断され、前記開封履歴明示バンドが下がったときに互いの凹凸が噛み合うように形成されていることを特徴とする口栓。
【請求項２】
前記開封履歴明示バンドの下端部の凸部の内面に、係止フラップが設けられ、前記スパウトに設けられた雄螺子部の下方に、外側に凸となっている係止リングが設けられ、該係止リングの下部に、初回開封時まで前記係止フラップが係止される第１の係止位置と、該第１の係止位置の下に、開封されて前記ブリッジ部が切断され、前記開封履歴明示バンドが下がったときに係止される第２の係止位置と、係止位置が２段で設けられていることを特徴とする請求項１に記載の口栓。
【発明の詳細な説明】
【技術分野】
【０００１】
本発明は、口栓に関する。更に詳細には、容器に取り付けられるスパウトと、キャップ本体の下部に接続して設けられた開封履歴明示バンドからなる口栓に関する。
【背景技術】
【０００２】
今日では、容器内容物の品質保証やいたずら防止などのため、開封履歴を明示する開封履歴明示バンド（タンパーエビデンドバンドとも、呼ばれる。）を備えた口栓が広く使用されている。そして、この種の口栓は、開封したときには、キャップ本体と開封履歴明示バンドとの連結が切断され、これにより、口栓が開封された事実を明示するようになっている。
【０００３】
このような口栓は、例えば、容器に固定されるスパウトと、スパウトに螺合するキャップとからなり、キャップはキャップ本体の下部に、破断可能なブリッジ部（弱化部）を介して接続された開封履歴明示バンドとからなっている。
【０００４】
キャップ本体を開栓方向に旋回すると、開封履歴明示バンドとキャップ本体とを繋いでいるブリッジ部が破断し、開封履歴明示バンドが切り離され、開封履歴明示バンドが切り離されている事実により、口栓が開封されたという事実を認識できるのである。
【０００５】
例えば、キャップ本体に、周壁下端に周方向へ設けた複数個の脆弱ブリッジを介して不正開封防止封緘リング（開封履歴明示バンド）を連結し、複数個の脆弱ブリッジのうち少なくとも１個の脆弱ブリッジを他の脆弱ブリッジより破断しにくい強化脆弱ブリッジとし、強化脆弱ブリッジの近接位置の不正開封防止封緘リングに、強化脆弱ブリッジより破断しやすい縦の脆弱接続部を上端から下端に設けた口栓がある。
【０００６】
この口栓は、キャップ本体の周壁下端に、縦に分割した不正開封防止封緘リングが強化脆弱ブリッジで連結していて、前記キャップを開栓方向に回転して、注出口具（スパウト）から螺脱したときに、強化脆弱ブリッジが破断されて、不正開封防止封緘リングが分離した状態のキャップ本体で、注出口具を再封したときは、キャップ本体の周壁下端面と注出口具の台座リングの上面と間に間隙を生じ、不正開封されたことが確認できる（特許文献１）。
【０００７】
また、キャップ本体の周壁下端の一箇所に四角い開封認知用舌状片を垂設し、開封認知用舌状片の右側の下端に、強化脆弱ブリッジを介して、開封認知用舌状片の左側に間隙をもって近傍位置に至る不正開封防止封緘リング（開封履歴明示バンド）を接続し、且つ、不正開封防止封緘リングの上面の周方向の複数箇所に、強化脆弱ブリッジより弱い脆弱ブリッジを介してキャップ本体のスカート部の下端に接続させた口栓がある。
【０００８】
この口栓でも、開封するために、キャップ本体を螺脱方向へ回転すると、キャップ本体の周壁の下面と不正開封防止封緘リングの上面とを周方向へ複数箇所で接続する脆弱ブリッジが破断される。この状態のキャップ本体を、注出口具に螺着して容器を再封止すると、キャップ本体に不正開封防止封緘リングが付いていても、脆弱ブリッジが破断されていることから、容器が既に開封されたことを認知することができる。
【０００９】
さらに、強化脆弱ブリッジを破断して不正開封防止封緘リングをキャップ本体から取り外したのち、キャップ本体を注出口具に螺着して容器を再封止すると、開封認知用舌状片の両側に不正開封防止封緘リングがないことから、容器が既に開封されたことを認知する
ことができる（特許文献２）。
【００１０】
公知文献を以下に示す。
【先行技術文献】
【特許文献】
【００１１】
【特許文献１】特開２００６−１５９９号公報
【特許文献２】特開２００６−１３１２３２号公報
【発明の概要】
【発明が解決しようとする課題】
【００１２】
このような口栓の場合は、開封すると脆弱ブリッジが切断されて、強化脆弱ブリッジによりキャップ本体に開封履歴明示バンドが付いたままであるので、開封履歴明示バンドが広がって開封したことがわかりやすいが、そのまま再封すると開封履歴明示バンドがキャップ本体に繋がっていて、再封しにくく、また、切り離された開封履歴明示バンドがキャップ本体とつながっているので、キャップ本体と下方にあまり離れず、開封履歴明示バンドがキャップ本体と切り離されているのがわかりづらい。
【００１３】
キャップ本体から開封履歴明示バンドを外して、再封するとわかりやすいが、強化脆弱ブリッジを切断しなければならず、手間が掛かるのと同時に、ごみの数が増えてしまう。
【００１４】
本発明は上記した事情に鑑みてなされたもので、開封すると、容器側に開封履歴明示バンドが残るが、再封したときには、再封したことが明確にわかる口栓を提供することを課題としている。
【課題を解決するための手段】
【００１５】
本発明の請求項１に係る発明は、キャップ本体の下部にブリッジ部を介して接続する開封履歴明示バンドを有するキャップと、該キャップに螺着されるスパウトとからなる口栓であって、
未開封の状態では、互いの凸部どうしが向かい合うように、前記開封履歴明示バンドの下端部に凹凸を形成すると共に、前記スパウトの台座リングの上端部に凹凸を形成し、開封されることで、前記ブリッジ部が切断され、前記開封履歴明示バンドが下がったときに互いの凹凸が噛み合うように形成されていることを特徴とする口栓である。
【００１６】
本発明の口栓は、以上のような構成であって、開封履歴明示バンドの下端部の凹凸と、スパウトの台座リングの上端部の凹凸とが、未開封では、互いの凸部どうしが、向かい合い、開封されることで、ブリッジ部が切断され、開封履歴明示バンドが下に下がったときに凹凸が互いに噛み合うので、開封履歴明示バンドの下端部とスパウトの台座リングの上端部の凹凸が組合されて作られる形状が異なることから再封されたことが、容易に確認できる。
【００１７】
また、凹凸が互いに噛み合うので、開封履歴明示バンドが下に大きく下がり、キャップ本体と開封履歴明示バンドの間が広く開いて、開封されたことがはっきりわかる。キャップ本体に開封履歴明示バンドがくっついていないので、はずす手間もなく、再封するときにじゃまにならない。
【００１８】
本発明の請求項２の発明は、前記開封履歴明示バンドの下端部の凸部の内面に、係止フラップが設けられ、前記スパウトに設けられた雄螺子部の下方に、外側に凸となっている係止リングが設けられ、該係止リングの下部に、初回開封時まで前記係止フラップが係止される第１の係止位置と、該第１の係止位置の下に、開封されて前記ブリッジ部が切断さ
れ、前記開封履歴明示バンドが下がったときに係止される第２の係止位置と、係止位置が２段で設けられていることを特徴とする請求項１に記載の口栓である。
【００１９】
本発明は、第１の係止位置の下に、開封されてブリッジ部が切断され、開封履歴明示バンドが下がったときに係止される第２の係止位置が設けられているので、一旦下がった開封履歴明示バンドがその位置で留まり、キャップ本体と開封履歴明示バンドの間が広く開いたままになり、また、開封履歴明示バンドの下端部とスパウトの台座リングの上端部の凹凸が組合されて作られる形状が元に戻ることがない。
【発明の効果】
【００２０】
本発明の口栓は、開封履歴明示バンドの下端部の凹凸と、スパウトの台座リングの上端部の凹凸が組合されて作られる形状が初回開封前と再封時で異なることや、キャップ本体と開封履歴明示バンドの間が大きく開くことから、再封したものであることが明確にわかる。また、開封すると、スパウト側に開封履歴明示バンドが残り、キャップ本体側に開封履歴明示バンドが残っていないので、再封するときにじゃまにならない。
【図面の簡単な説明】
【００２１】
【図１】本発明の口栓の一例の正面図である。
【図２】本発明の口栓の一例の部分断面図である。
【図３】本発明の口栓の一例の再封した時の状態を示した正面図である。
【図４】本発明の口栓の一例の再封した時の状態を示した部分断面図である。
【発明を実施するための形態】
【００２２】
以下本発明を実施するための形態につき説明する。
図１は、本発明の口栓の一例の正面図、図２は、本発明の口栓の一例の部分断面図、図３は、本発明の口栓の一例の再封した時の状態を示した正面図、図４は、本発明の口栓の一例の再封した時の状態を示した部分断面図である。
【００２３】
本発明の口栓１００は、図１のように、キャップ本体１の下部に、切断可能な弱化部からなる複数のブリッジ部２を介して接続する開封履歴明示バンド３を有するキャップ４と、キャップ４に螺着されるスパウト５とからなっている。
【００２４】
キャップ本体１は、頂板部６と、頂板部６の周縁部から垂下しているスカート部７とから成っている。そして、スカート部７の外面には、滑り止め用のローレット８が形成されており、手で廻して、キャップ本体１の閉栓方向及び開栓方向への旋回をスムーズに行えるようになっている。 
【００２５】
また、開封履歴明示バンド３の下端部には、下に凸のバンド側凸部９と、バンド側凹部１０とによる凹凸が形成されている。そして、スパウト５の台座リング１１の上端部にも、上に凸のスパウト側凸部１２と、スパウト側凹部１３とによる凹凸が形成されている。
【００２６】
そして、初回開封前の本例の口栓１００では、バンド側凸部９とスパウト側凸部１２が上下で向かい合っている。そして、台座リング１１の下には、容器に取り付けるためのフランジ１４が設けられている。
【００２７】
本発明においては、必ずしも、バンド側凸部９とスパウト側凸部１２が上下で向かい合っていなくてもよい。また、バンド側凹部１０とスパウト側凹部１３が上下で向かい合っていてもよい。
【００２８】
図２は、バンド側凸部９とスパウト側凸部１２が上下で向かい合っている位置での、口
栓の下部の部分断面図である。
【００２９】
スパウト５の外周面には、雄螺子部１５が設けられている。また、キャップ本体１のスカート部７の内周面には、雌螺子部１６が設けられていて、雄螺子部１５と雌螺子部１６によって、スパウト５とキャップ本体１が螺合している。
【００３０】
キャップ本体１のスカート部７の下端に、ブリッジ部２を介して、開封履歴明示バンド３が接続している、そして、開封履歴明示バンド３の内面の下部から、斜め上方に向けて係止フラップ１７が設けられている。係止フラップ１７が設けられている周方向の位置はバンド側凸部９のある位置である。
【００３１】
スパウト５の下部には、外側に凸となっている係止リング１８が設けられ、係止フラップ１７を係止するようになっている。また、係止リング１８の下部は、初回開封時まで係止フラップ１７が係止する第１の係止位置１９と、第１の係止位置１９の下に、開封されてブリッジ部２が切断され、開封履歴明示バンド３が下がったときに係止フラップ１７を係止する第２の係止位置２０と、係止位置が２段で設けられている。
【００３２】
初回開封するとき、キャップ本体１を開栓方向（反時計回り）に廻すと、係止フラップ１７の先端部分が第１の係止位置１９で係止リング１８に当たり、上に動くのを阻止されるため、開封履歴明示バンド３は第１の係止位置１９で留まり、キャップ本体１が、スパウト５より旋回しながら上に移動する。そのためブリッジ部２が破断される。
【００３３】
このように、口栓１００を開栓すると、開封履歴明示バンド３はスパウト側に残り、そして、開封履歴明示バンド３のバンド側凸部９が、台座リング１１のスパウト側凹部１３に、バンド側凹部１０が、スパウト側凸部１２に、それぞれ、噛み合うよう嵌まり込む。
【００３４】
このように噛み合うよう嵌まり込むことによって、開封履歴明示バンド３は台座リング１１側に移動する。そして、係止フラップ１７の先端部分は第２の係止位置２０に移動する。一旦、係止フラップ１７の先端部分が第２の係止位置２０に来ると、係止フラップ１７が上に動くのを阻止されるため、開封履歴明示バンド３は上に移動できなくなる。
【００３５】
尚、初回開封時に開封履歴明示バンド３が台座リング１１側に移動しない場合もあるが、開栓しているとき、あるいは、再封時に開封履歴明示バンド３の上部に設けられた突起部２１により押されて移動する。
【００３６】
上記のように、開封履歴明示バンド３は、開封したときにスパウト５に付いたまま残り、キャップ本体１についていないので、再封するときに、開封履歴明示バンド３がじゃまにならず閉栓しやすい。
【００３７】
図３は、本発明の口栓の一例の再封した時の状態を示した正面図、図４は、本発明の口栓の一例の再封した時の状態を示した部分断面図である。
【００３８】
再封すると、図３のように、キャップ本体１と開封履歴明示バンド３の間が、大きく開いていて、更に、開封履歴明示バンド３のバンド側凸部９が、台座リング１１のスパウト側凹部１３に、バンド側凹部１０が、スパウト側凸部１２に、それぞれ、噛み合うよう嵌まり込んでいる。これによって、口栓１００が、開封された後に再封されたことが明確にわかる。
【００３９】
そして、図４のように、ブリッジ部２が破断されていて、開封履歴明示バンド３は、キャップ本体１から分離されていて、台座リング１１側に移動して、初回開封前と比較して
大きく離れている。
【００４０】
そして、係止フラップ１７は、その先端が、係止リング１８の第１の係止位置１９から第２の係止位置２０に移動している。このため、係止フラップ１７は上に移動しなくなり、開封履歴明示バンド３は、この位置で、上に移動できなくなり、また、開封履歴明示バンド３の下端部の凹凸と、スパウト５の台座リング１１の上端部の凹凸とが、噛み合うように嵌まり込んでいるので、回転方向にも動かなくなる。
【００４１】
以上のように、本発明の口栓は、開封すると、容器側に開封履歴明示バンドが残り、キャップ本体に開封履歴明示バンドがくっついていないので、キャップ本体に開封履歴明示バンドをはずす手間もなく、再封するときにじゃまにならない。
【００４２】
また、開封履歴明示バンドの下端部の凹凸と、スパウトの台座リングの上端部の凹凸が組合されて作られる形状が初回開封前と再封時で異なることや、キャップ本体と開封履歴明示バンドの間が大きく開くことから、再封したものであることが明確にわかる。
【００４３】
そして、一旦、キャップ本体と開封履歴明示バンドの間が離れ、開封履歴明示バンドが、スパウト５の台座リング１１側よると、係止フラップ１７が第２の係止位置２０で係止され、上に戻ることがなく、再封したものであることがわからなくなることがない。
【符号の説明】
【００４４】
１００・・・口栓
１・・・キャップ本体
２・・・ブリッジ部
３・・・開封履歴明示バンド
４・・・キャップ
５・・・スパウト
６・・・頂板部
７・・・スカート部
８・・・ローレット
９・・・バンド側凸部
１０・・・バンド側凹部
１１・・・台座リング
１２・・・スパウト側凸部
１３・・・スパウト側凹部
１４・・・フランジ
１５・・・雄螺子部
１６・・・雌螺子部
１７・・・係止フラップ
１８・・・係止リング
１９・・・第１の係止位置
２０・・・第２の係止位置
２１・・・突起部
【図１】
2013252874.tif 000003
【図２】
2013252874.tif 000004
【図３】
2013252874.tif 000005
【図４】
2013252874.tif 000006